(57)【要約】【課題】ゴルフクラブのシャフトのクリップ装着部分に巻き付けられた両面テープの表面に溶剤を綺麗にまんべんなく塗布することができ、しかもその溶剤が手に付着することを防止することができるとともに、溶剤を無駄なく使用できるクラブグリップ取付補助具及びクラブグリップ取付の際の溶剤塗布方法を提供すること。【解決手段】ゴルフクラブ１のシャフト２のグリップ装着部分３と、所定量の溶剤Ｓとを収納するための長尺状の容器１０と、当該容器１０の一端部ほぼ中央部に設けられた開口部２０と、を備えている。容器１０内に所定量の溶剤Ｓを入れ、両面テープを巻いたゴルフクラブをほぼ水平状態に固定し、容器１０の開口からシャフトを容器１０内に挿入し、容器１０をシャフトを中心に回転させる。【選択図】図１
2005124983.tif 000002
【特許請求の範囲】
【請求項１】
ゴルフクラブのシャフトのグリップ装着部分と、所定量の溶剤とを収納するための長尺状の容器と、
当該容器の一端部ほぼ中央部に設けられた開口部と、
を備えていることを特徴とするクラブグリップ取付補助具。
【請求項２】
ゴルフクラブのシャフトのグリップ装着部分と、所定量の溶剤とを収納するための長尺状の容器と、
当該容器の一端部ほぼ中央部に設けられた開口部と、
該容器内のほぼ中心部に収納配置され前記シャフトのグリップ装着部分を支持可能で、かつ溶剤を透過可能な円筒又は支持構造と、
を備えていることを特徴とするクラブグリップ取付補助具。
【請求項３】
ゴルフクラブのシャフトのグリップ装着部分と、所定量の溶剤とを収納するための長尺状の容器と、
当該容器の一端部ほぼ中央部に設けられた開口部と、
該容器内のほぼ中心部に収納配置された長尺状の網状の円筒と、
を備えていることを特徴とするクラブグリップ取付補助具。
【請求項４】
前記容器は、三角筒状又は４〜８角筒状に形成されていることを特徴とする請求項１〜３の何れかに記載のクラブグリップ取付補助具。
【請求項５】
前記容器は、内壁に溶剤を撹拌させるための突起を備えていることを特徴とする請求項１〜３の何れかに記載のクラブグリップ取付補助具。
【請求項６】
前記容器は、透明であることを特徴とする請求項１〜３の何れかに記載のクラブグリップ取付補助具。
【請求項７】
前記円筒は、樹脂から成ることを特徴とする請求項３記載のクラブグリップ取付補助具。
【請求項８】
前記開口部に装着可能な蓋を備えていることを特徴とする請求項１〜３の何れかに記載のクラブグリップ取付補助具。
【請求項９】
ゴルフクラブのシャフトのグリップ装着部分と、所定量の溶剤とを収納するための長尺状の容器と、
当該容器の一端部ほぼ中央部に設けられた開口部とを備えており、
前記容器内部に前記シャフトの支持構造を設け、前記容器の内壁に溶剤を撹拌させるための突起を設けたことを特徴とするクラブグリップ取付補助具。
【請求項１０】
ゴルフクラブのシャフトのグリップ装着部分と、所定量の溶剤とを収納するための長尺状の容器の一端部ほぼ中央部に設けた開口部から容器内に所定量の溶剤を入れ、
両面テープを巻いたゴルフクラブをほぼ水平状態に固定し、
前記容器の開口からシャフトを容器内に挿入し、
前記容器をシャフトを中心に回転させて溶剤を両面テープの表面に塗布することを特徴とするクラブグリップ取付の際の溶剤塗布方法。
【発明の詳細な説明】
【技術分野】
【０００１】
本発明は、ゴルフクラブのシャフトにクラブグリップを取り付ける前にゴルフクラブのシャフトのクリップ装着部分に巻き付けた両面テープの表面に溶剤を綺麗にまんべんなく塗布するクラブグリップ取付補助具及びクラブグリップ取付の際の溶剤塗布方法に関するものである。
【背景技術】
【０００２】
ゴルフクラブのシャフトのクリップ装着部分にほぼ円筒形をなすラバーグリップを取り付ける場合、このラバーグリップをシャフトに差し込む前に、まず、シャフトを万力で押さえ、シャフトのクリップ装着部分に両面テープを巻き、その上からガソリン等の溶剤をふりかけ、更に交換用ラバーグリップの内側に、前記溶剤を注入してしみこませるという作業が一般に採られ、かかる方法の後グリップをシャフトに差し込んでグリップが取り付けられる（特許文献１参照）。
【０００３】
又、両面テープの表面等に溶剤を塗布する他の方法として、揮発性の強いベンゾールと、接着剤を溶解するガソリン、トロール、フロン、Ｌ．Ｐ．ガス等の調合された薬品等からなる溶剤を入れたスプレー式容器で、シャフトの表面に巻き付けた両面テープの表面と、交換用ラバーグリップの内側に前記溶剤を吹き付ける方法が採られている（特許文献２参照）。
【特許文献１】特開昭５２−１４３１２６号公報
【特許文献２】特開昭５６−８５３６７号公報
【発明の開示】
【発明が解決しようとする課題】
【０００４】
しかしながら、これら特許文献１又は２に記載されたクラブグリップ取付の際の溶剤塗布方法においては、シャフトのクリップ装着部分に巻き付けられた両面テープに上から溶剤をふりかけたり又はスプレー式容器で吹き付けたりするので、溶剤は上から下にたれたりこぼれ、塗布される溶剤より多量の溶剤が使われる。その際、溶剤が全体に行きわたりにくく溶剤の塗布がムラになりやすく綺麗にまんべんなく塗布することができないことがある。又、溶剤が揮発し、空気中に充満し、においが充満したりたりする。両面テープから下方に落ちた溶剤に揮発が生じたり、不純物が混入すると、その溶剤はリユース（再使用）できない。更に、溶剤をふりかけたり吹き付けたりする際に、塗布する作業者の手に付着して手が汚れたりすることがある。
【０００５】
従って、解決しようとする問題点は、溶剤を両面テープの部分に綺麗にまんべんなく付着することができない点と、溶剤が揮発し、その溶剤のリユースをすることができない点と、ガソリン等の溶剤が手に付着してしまう点である。
【０００６】
そこで、本発明は以上のような問題点に鑑みてなされたものであり、その目的は、ゴルフクラブのシャフトのクリップ装着部分に巻き付けられた両面テープの表面に溶剤を綺麗にまんべんなく塗布することができ、しかもその溶剤が手に付着することを防止することができるとともに、溶剤を無駄なく使用できるクラブグリップ取付補助具、更に作業現場における溶剤の揮発を防止することができるクラブグリップ取付補助具及びクラブグリップ取付の際の溶剤塗布方法を提供することである。
【課題を解決するための手段】
【０００７】
本願請求項１記載の発明に係るクラブグリップ取付補助具は、図面に使用する符号を付して説明すると、「ゴルフクラブ１のシャフト２のグリップ装着部分３と、所定量の溶剤Ｓとを収納するための長尺状の容器１０と、当該容器１０の一端部ほぼ中央部に設けられた開口部２０と、を備えている」ところに特徴を有するものである。
【０００８】
これは、図１に示すように、容器１０と開口部２０とを備えていることで、溶剤Ｓを容器１０内に収納し、溶剤Ｓの空気中への放出を抑えるようにするとともに、開口部２０から容器１０内にゴルフクラブ１のシャフト２を挿入して収納できるようにしたものである。更に、図４に示すように、容器１０を水平状態にしてシャフト２を中心として回転することで、容器１０内の溶剤Ｓをシャフト２のグリップ装着部分３に巻かれた両面テープ４の表面に塗布できるようにしたものである。その際、溶剤Ｓへの埃、ゴミ等の混入を防止する。又、開口部２０を容器１０の一端部ほぼ中央部に設けることで、水平状態の容器１０内の開口部２０から溶剤Ｓが流出することを制限し、容器１０内の溶剤Ｓをこぼすことなく無駄なく塗布できるようにしたものである。尚、容器１０の形状は、図１に示すように円形に形成してもよいし、三角形〜８角形に形成してもよく、特に三角形又は四角形のように角形で角の数を少なく形成すると、容器１０を回転させる塗布時に溶剤Ｓが容器１０内部の角に当たって撹拌作用を奏し、溶剤Ｓがクリップ装着部分３にまんべんなく塗布するようにできる。
【０００９】
本願請求項２記載の発明に係るクラブグリップ取付補助具は、「ゴルフクラブ１のシャフト２のグリップ装着部分３と、所定量の溶剤Ｓとを収納するための長尺状の容器１０と、当該容器１０の一端部ほぼ中央部に設けられた開口部２０と、該容器１０内のほぼ中心部に収納配置され前記シャフト２のグリップ装着部分３を支持可能で、かつ溶剤Ｓを透過可能な円筒３０又は支持構造３５と、を備えている」ところに特徴を有するものである。
【００１０】
これは、図３及び４に示すように、開口部２０から容器１０内にシャフト２を収納し、容器１０を回し、溶剤Ｓをグリップ装着部分３にふりかけて塗布するときに、容器１０内のほぼ中心部に収納配置された円筒３０又は支持構造３５が、シャフト２の暴れを防止するものである。シャフト２が暴れると、グリップ装着部分３に巻かれた両面テープ４自体も破れることがあるので、これを防止するためである。特に、円筒３０又は支持構造３５を円筒１０の内壁とグリップ装着部分３との間に配置して溶剤Ｓのグリッブ装着部分３へのふりかけの障害物となるようにし、溶剤Ｓが円筒３０又は支持構造３５の内部を透過してから塗布されるようにした場合には、塗布時に溶剤Ｓが円筒３０に当たり、溶剤Ｓが円筒３０又は支持構造３５を透過し、その透過した溶剤Ｓがムラなく両面テープ４に塗布され、溶剤Ｓが適量で、かつ、均一に塗布され、塗布後の余分な溶剤Ｓを素早く取り除くことができ、その際のムラもない。
【００１１】
尚、円筒３０は、溶剤Ｓを透過可能であればよく、例えば、図２に示すように網状に形成したものであってもよいし、図５に示すように円筒３０の表面に小さな孔を形成したものであってもよい。ここでいう円筒３０又は支持構造３５の「透過可能」とは、溶剤Ｓがグリップ装着部分３に触れたり到達するものであればよく、円筒３０又は支持構造３５の内部を通過する必要はないことを意味している。又、溶剤Ｓを透過可能な支持構造３５は、例えば図１に示す如く溶剤Ｓの塗布を阻害しないように底面１１に形成してシャフト２を支持するものであってもよいし、容器１０内に張り巡らしたピアノ線であってもよいし、特に図６に示す如く金属又は樹脂からなるらせん状に張り巡らせたものてあってもよいし、らせん状の弾性体であってもよいし、又、図９に示す如く、溶剤Ｓの塗布を阻害しないように短尺の円筒状からなり、複数箇所に部分的に形成したものであってもよい。
【００１２】
本願請求項３記載の発明に係るクラブグリップ取付補助具は、「ゴルフクラブ１のシャフト２のグリップ装着部分３と、所定量の溶剤Ｓとを収納するための長尺状の容器１０と、当該容器１０の一端部ほぼ中央部に設けられた開口部２０と、該容器１０内のほぼ中心部に収納配置された長尺状の網状の円筒３０と、を備えている」ところに特徴を有するものである。
【００１３】
これは、円筒３０を長尺状で、かつ、網状に形成することで、円筒３０でクリップ装着部分３を支持しつつすっぽり覆った状態に収納し、溶剤Ｓが円筒３０に当たって所謂シャワー状になりクリップ装着部分３に綺麗にまんべんなく塗布できるようにしたものである。
【００１４】
本願請求項４記載の発明に係るクラブグリップ取付補助具は、請求項１〜３の何れかに記載のクラブグリップ取付補助具において、「前記容器１０は、三角筒状又は４〜８角筒状に形成されている」ところに特徴を有するものである。
【００１５】
これは容器１０の形状を、三角筒状又は４〜８角筒状に形成することで、容器１０を回転させる塗布時に溶剤Ｓが容器１０の角に当たって撹拌作用を奏し、溶剤Ｓをクリップ装着部分３にまんべんなく塗布できるようにしたものである。撹拌作用及び持ちやすさの面から、３〜８角筒状就中四角筒状が最も好適である。容器１０内の角が少ないと、容器１０を回転させたときに溶剤Ｓがその角に当たって、容器１０内に広がりやすいからである。
【００１６】
本願請求項５記載の発明に係るクラブグリップ取付補助具は、請求項１〜３の何れかに記載のクラブグリップ取付補助具において、「前記容器１０は、内壁に溶剤Ｓを撹拌させるための突起６０を備えている」ところに特徴を有するものである。
【００１７】
これは容器１０の形状を角形に形成することなく、溶剤Ｓを撹拌して、その溶剤Ｓをクリップ装着部分３にまんべんなく塗布できるようにしたものである。即ち、容器１０の内壁に突起６０を備えたことで、容器１０の回転に伴って、順に突起６０と容器１０の内壁とで溶剤Ｓを引っかけ、ここに溶剤Ｓが溜まって下方から上方に溶剤Ｓが移動し、上方から溶剤Ｓを下方にふりかけるようにして、溶剤Ｓを撹拌させる。その際、溶剤Ｓが撹拌されつつシャフト部分３に塗布される。しかも、ゆっくりクラブグリップ取付補助具１００が回転しても突起６０で溶剤Ｓを下方から上方へ持ち上げた後下方へふりかけて撹拌できるので、溶剤Ｓを塗布させるためにクラブグリップ取付補助具１００全体を素早く回転させる必要がなく、低速で回転させて効率よく充分に溶剤Ｓを撹拌することができる。回転させるための余分な力がいらない。
【００１８】
尚、ここでいう「溶剤Ｓを撹拌させるための突起６０」とは、溶剤Ｓが撹拌されるものであればよく、例えば爪、壁面、壁、フィン（ｆｉｎ）が挙げられ、開口部２０から底面１１にかけて全体的に備えているものであってもよいし、図９に示す如く内壁に連続しないように部分的に形成したものであってもよい。突起６０を内壁に部分的に形成した場合には、突起６０から下方のグリップ装着部分３にふりかける際に、上述のように低速でクラブグリップ取付補助具１００全体を回転させてもよいし、又、その装置全体を高速で回転させても溶剤Ｓが遠心力によって留まることなく突起６０の左右方向（円筒１０の長尺方向）からもこぼれるように撹拌され、好適である。
【００１９】
本願請求項６記載の発明に係るクラブグリップ取付補助具は、請求項１〜３の何れかに記載のクラブグリップ取付補助具において、「前記容器１０は、透明である」ところに特徴を有するものである。
【００２０】
即ち、容器１０は透明であることにより、容器１０内に収納されている溶剤Ｓの残量を容易に視認できるようにしたものである。
【００２１】
本願請求項７記載の発明に係るクラブグリップ取付補助具は、請求項３記載のクラブグリップ取付補助具において、「前記円筒３０は、樹脂からなる」ところに特徴を有するものである。
【００２２】
即ち、円筒３０は樹脂からなることにより、溶剤Ｓによって溶けたり変形することなく、シャフト２を支持し、クリップ装着部分３に綺麗にまんべんなく塗布するようにしたものである。
【００２３】
本願請求項８記載の発明に係るクラブグリップ取付補助具は、請求項１〜３の何れかに記載のクラブグリップ取付補助具において、「前記開口部２０に装着可能な蓋４０を備えている」ところに特徴を有するものである。
【００２４】
これは使用しないときには開口部２０を蓋４０で閉じて溶剤Ｓを容器１０内に密閉状態で収納して揮発を防止し、その揮発を防止した状態で保存することができるようにしたものである。
【００２５】
本願請求項９記載の発明に係るクラブグリップ取付補助具は、「ゴルフクラブ１のシャフト２のグリップ装着部分３と、所定量の溶剤Ｓとを収納するための長尺状の容器１０と、当該容器１０の一端部ほぼ中央部に設けられた開口部２０とを備えており、前記容器１０内部に前記シャフト２の支持構造３５を設け、前記容器１０の内壁に溶剤Ｓを撹拌させるための突起６０を設けた」ところに特徴を有するものである。
【００２６】
これは、容器１０内部に開口部２０からシャフト２を挿入して収納し、容器１０内部の支持構造３５でシャフト２を暴れないように支持し、更に、クラブグリップ取付補助具１００全体を回転させることで、突起６０と容器１０の内壁とで溶剤Ｓを下方から引っかけてすくい上げ、溶剤Ｓをその突起６０と容器１０の内壁との間に溜めた状態でほぼ上方まで持ち上げ、そのほぼ上方から下方へ溶剤Ｓをふりかけることで、溶剤Ｓを撹拌して、グリップ装着部分３に溶剤Ｓをまんべんなく塗布できるようにしたものである。特に、複数個の突起６０を連続しないように部分的に容器１０内部に所定間隔を有するように配設した場合には、回転時に遠心力で溶剤Ｓが突起６０と円筒１０の内壁との間に留まらず突起６０の左右方向（円筒１０の長尺方向）からもこぼれるようにふりかかるので、クラブグリップ取付補助具１００全体をゆっくり回しても素早く回しても撹拌作用を奏することができ、好適である。
【００２７】
本願請求項１０記載の発明に係るクラブグリップ取付の際の溶剤塗布方法は、「ゴルフクラブ１のシャフト２のグリップ装着部分３と、所定量の溶剤Ｓとを収納するための長尺状の容器１０の一端部ほぼ中央部に設けた開口部２０から容器１０内に所定量の溶剤Ｓを入れ、両面テープ４を巻いたゴルフクラブ１をほぼ水平状態に固定し、前記容器１０の開口からシャフト２を容器１０内に挿入し、前記容器１０をシャフト２を中心に回転させて溶剤Ｓを両面テープ４の表面に塗布する」ところに特徴を有するものである。
【００２８】
これは、図３又は４に示すように、クラブグリップ取付補助具１００の容器１０を水平状態にすることで容器１０内の溶剤Ｓがこぼれることなく均一な高さの溶剤溜まりを形成し、これをシャフト２のグリップ装着部分３に挿入することで溶剤溜まりがグリップ装着部分３の下方に位置し、容器１０をシャフト２を中心として回転させることで、簡単かつ容易に、かつ、容器１０中の溶剤Ｓがこぼれることなく、手にも付着しないでクリップ装着部分３にふりかかり均一に塗布できるようにしたものである。
【発明の効果】
【００２９】
本願請求項１記載の発明に係るクラブグリップ取付補助具によれば、ゴルフクラブのシャフトのグリップ装着部分と、所定量の溶剤とを収納するための長尺状の容器と、当該容器の一端部ほぼ中央部に設けられた開口部と、を備えているので、ゴルフクラブのシャフトのクリップ装着部分に巻き付けられた両面テープの表面に溶剤を綺麗にまんべんなく塗布することができ、しかもその溶剤が手に付着することを防止することができるとともに、溶剤を無駄なくリユースすることができるという効果を奏する。更に、溶剤の使用量を減少させることができる上、溶剤をほとんどこぼすことなく塗布作業を進めることができる。
【００３０】
本願請求項２記載の発明に係るクラブグリップ取付補助具によれば、ゴルフクラブのシャフトのグリップ装着部分と、所定量の溶剤とを収納するための長尺状の容器と、当該容器の一端部ほぼ中央部に設けられた開口部と、該容器内のほぼ中心部に収納配置され前記シャフトのグリップ装着部分を支持可能で、かつ溶剤を透過可能な円筒又は支持構造と、を備えているので、ゴルフクラブのシャフトのクリップ装着部分に巻き付けられた両面テープの表面に溶剤をムラなく綺麗にまんべんなく塗布することができ、しかもその溶剤が手に付着することを防止することができるとともに、溶剤をリユースすることができるという効果を奏する。特に、シャフトを確実に支持することができる。
【００３１】
本願請求項３記載の発明に係るクラブグリップ取付補助具によれば、ゴルフクラブのシャフトのグリップ装着部分と、所定量の溶剤とを収納するための長尺状の容器と、当該容器の一端部ほぼ中央部に設けられた開口部と、該容器内のほぼ中心部に収納配置された長尺状の網状の円筒と、を備えているので、ゴルフクラブのシャフトのクリップ装着部分に巻き付けられた両面テープの表面に溶剤を綺麗にまんべんなく塗布することができ、しかもその溶剤が手に付着することを防止することができるとともに、溶剤をリユースすることができるという効果を奏する。特に、シャフトを確実に支持できるとともに、溶剤の透過性をよくし、更に溶剤の塗布量を均一に塗布することができる。
【００３２】
本願請求項４記載の発明に係るクラブグリップ取付補助具によれば、請求項１〜３の何れかに記載のクラブグリップ取付補助具の奏する効果に加えて、前記容器は、三角筒状又は５〜８角筒状に形成されているので、容器に形成されている角が容器の回転時に溶剤の撹拌作用を有し、更にゴルフクラブのシャフトのクリップ装着部分に巻き付けられた両面テープの表面に綺麗にまんべんなく塗布することができるという効果を奏する。
【００３３】
本願請求項５記載の発明に係るクラブグリップ取付補助具によれば、請求項１〜３の何れかに記載のクラブグリップ取付補助具の奏する効果に加えて、前記容器は、内壁に溶剤を撹拌させるための突起を備えているので、効率的に溶剤を撹拌させることができ、クラブグリップ取付補助具全体を低速で回してもグリップ装着部分の両面テープの表面に綺麗にまんべんなく塗布することができるという効果を奏する。
【００３４】
本願請求項６記載の発明に係るクラブグリップ取付補助具によれば、請求項１〜３の何れかに記載のクラブグリップ取付補助具の奏する効果に加えて、前記容器は、透明であるので、容器内の溶剤の量を確認することができるという効果を奏する。
【００３５】
本願請求項７記載の発明に係るクラブグリップ取付補助具によれば、請求項２又は３に記載のクラブグリップ取付補助具の奏する効果に加えて、前記円筒は、樹脂からなるので、円筒の製造が容易であるとともに溶剤の塗布時に安定して回転でき、溶剤の撹拌に好適である。
【００３６】
本願請求項８記載の発明に係るクラブグリップ取付補助具によれば、請求項１〜３の何れかに記載のクラブグリップ取付補助具の奏する効果に加えて、前記開口部に装着可能な蓋を備えているので、溶剤の揮発を防止することができ、溶剤を品質よくリユースすることができるという効果を奏する。
【００３７】
本願請求項９記載の発明に係るクラブグリップ取付補助具によれば、ゴルフクラブのシャフトのグリップ装着部分と、所定量の溶剤とを収納するための長尺状の容器と、当該容器の一端部ほぼ中央部に設けられた開口部とを備えており、前記容器内部に前記シャフトの支持構造を設け、前記容器の内壁に溶剤を撹拌させるための突起を設けたので、シャフトの暴れを防止してしっかりとグリップ装着部分を支持することができるとともに、効率的に溶剤を撹拌させることができ、クラブグリップ取付補助具全体をゆっくり回してもグリップ装着部分の両面テープの表面に綺麗にまんべんなく塗布することができるという効果を奏する。
【００３８】
本願請求項１０記載の発明に係るクラブグリップ取付の際の溶剤塗布方法によれば、ゴルフクラブのシャフトのグリップ装着部分と、所定量の溶剤とを収納するための長尺状の容器の一端部ほぼ中央部に設けた開口部から容器内に所定量の溶剤を入れ、両面テープを巻いたゴルフクラブをほぼ水平状態に固定し、前記容器の開口からシャフトを容器内に挿入し、前記容器をシャフトを中心に回転させて溶剤を両面テープの表面に塗布するので、溶剤使用を減少させ、なおかつ、ほとんど溶剤をこぼすことなく作業を進めることができ、簡単かつ容易に、素早くゴルフクラブのシャフトのクリップ装着部分に巻き付けられた両面テープの表面に溶剤を綺麗にまんべんなく塗布することができ、しかもその溶剤が手に付着することを防止することができるとともに、溶剤をリユースすることができるという効果を奏する。
【発明を実施するための最良の形態】
【００３９】
以下に本発明を実施するための最良の形態を図面を用いて説明するが、本発明の趣旨を越えない限り何ら以下の例に限定されるものではない。図２は本発明に係るクラブグリップ取付補助具を示す斜視図である。
（実施例１）
クラブグリップ取付補助具１００は、容器１０と、開口部２０と、円筒３０とを備えている。
【００４０】
容器１０は、有底の長尺の四角筒状に一体成型で形成してあり、その高さは約３３ｃｍであり、幅は約６ｃｍである。高さ３３ｃｍのうち底面１１からの約２８ｃｍ分は同幅に形成してあり、そこから開口部２０にかけての約５ｃｍ分は側壁から開口部２０にかけて徐々に幅が狭くなる形状としてある。長尺方向の長さを約３３ｃｍとすることで、長さ約２６〜２７ｃｍのグリップ装着部分３を容器１０内にすっぽり収納でき、又、容器１０の幅を約６ｃｍとすることで、容器１０を片手で持ちやすくしてある。
【００４１】
容器１０の材質は、ＰＥＴ（ポリエチレン−テレフタレート）、その他のポリエステル等の合成樹脂からなり、容器１０の色は容器１０内の特に溶剤が視認可能とすべく透明にしてある。尚、溶剤は、パーケル、ベンゾール等を含む第２石油系の溶剤である。
【００４２】
容器１０の底面１１は、一辺約６ｃｍのほぼ四角形に形成してあり、底面１１のほぼ中央部には、シャフト２のグリップ装着部分３の端部を支持する支持構造３５が設けてある。支持構造３５は、一端部が開口するほぼ円錐状又は円筒状に形成してあり、開口部２０から挿入された直径１５〜１６ｍｍのシャフト２を内側に挿嵌して支持でき、外側で円筒３０の内側を支持できる形状としてある。
【００４３】
開口部２０は、容器１０内のほぼ一端部ほぼ中央部に設けてあり、直径約２ｃｍのほぼ円形を有し、約１．５ｃｍ〜１．６ｃｍの直径を有するシャフト２を挿入可能としてある。
【００４４】
円筒３０は、ポリエチレン、ポリプロピレン等の樹脂からなり、菱形又は角形の特殊な網目構造を有し、軽量で表面積及び空隙率を大きくした無数の開孔部を円周上均一に有する独特な網目構造を有する網状の円筒形状に形成してある。そして、この網目から溶剤を透過できるようにしてある。円筒３０の長さは約２８ｃｍであり、幅は直径約３ｃｍにしてある。更に、円筒３０は、容器１０内のほぼ中心部に収納配置してあり、シャフト２のグリップ装着部分３を支持可能としてある。
【００４５】
しかも、ポリエチレン、ポリプロピレン等の樹脂からなるので、溶剤Ｓによる腐食が起こりにくく、かつ、円筒３０は網目状に形成してあるので、グリップ装着部分３の両面テープ４が直接触れても接着することがなく支持でき、又、摩擦も少ない。更に、もしグリップ装着部分３と接触しても、滑らかに装置全体を回転できる。
【００４６】
次に本実施例のクラブグリップ取付補助具１００を用いてクラブグリップ取付の際の溶剤塗布方法について図３又は４を参照して説明する。図３は、本実施例のクラブグリップ取付補助具１００をシャフト２に差し込む様子を示す平面図である。又、図４は本実施例のクラブグリップ取付補助具１００をシャフト２に差し込んだ状態を示す平面図である。
【００４７】
まず、開口部２０から容器１０内に、容器１０をほぼ垂直状態にしたときに容器１０の底面１１から約３ｃｍの高さとなる量の溶剤Ｓを入れる。これは、容器１０を水平状態にした際に容器１０内に収納した溶剤Ｓがグリップ装着部分３に直接接触することなく、又、容器１０内で全体的に均一に底面方向から開口部２０方向へ行き届きやすい量だからである。
【００４８】
次に、両面テープ４を巻いたゴルフクラブ１を、机に固定した万力等でほぼ水平状態に固定する。尚、ゴルフクラブ１のグリップ装着部分３は、両面テープ４でシャフト２を包み込むようにらせん状に巻き、両面テープ４の表面にある剥離紙を剥がしてある。
【００４９】
そして、図３の矢印で示す方向に、容器１０の開口からシャフト２を容器１０内に挿入し、グリップ装着部分３を収納するように容器１０を取り付ける。
【００５０】
更に、図４の矢印で示すように、容器１０をシャフト２を中心に回転させて溶剤Ｓを両面テープ４の表面に塗布する。尚、容器１０の回転方向は、図４の矢印方向に何ら限定されるものではなく、シャフト２を中心として回転させればよいのであって、例えば図４の矢印とは反対の方向に回転させてもよい。
【００５１】
これによれば、溶剤Ｓの塗布時に容器１０で空気中へ放出される溶剤Ｓの揮発量を抑えることができるとともに、溶剤Ｓへの埃、ゴミ等の混入を防止することができる。開口部２０から容器１０内にゴルフクラブ１のシャフト２を挿入して収納し、容器１０をシャフト２を中心として回転することで、容器１０内の溶剤Ｓをシャフト２のグリップ装着部分３に巻かれた両面テープ４の表面に、溶剤Ｓを綺麗にまんべんなく塗布することができる。しかも溶剤Ｓが容器１０内に収納されているので、溶剤Ｓが手に付着することがなく、塗布時の溶剤Ｓは容器１０内に残存させて再使用（リユース）することができる。
【００５２】
又、容器１０を四角筒状に形成してあることにより、容器１０を回転させた際に、容器１０内の溶剤Ｓが容器１０内部の角で撹拌され、両面テープ４への溶剤Ｓがムラなく塗布できるとともに、塗布作業効率がよい。又、クラブグリップ取付補助具１００全体を回転させるときに、容器１０を持ちやすい。
【００５３】
容器１０が透明であることにより、容器１０内がよく視認でき、容器１０内に収納されている溶剤Ｓの残量が確認できる。更に、容器１０が樹脂からなることにより、溶剤Ｓを内部に収納できる耐久性を備えていて好適である。
【００５４】
更に、シャフト２のグリップ装着部分３と容器１０との間に溶剤Ｓが透過可能な円筒３０が存在するので、塗布時に溶剤Ｓは円筒３０を透過してから塗布されることになり、透過量に応じた均一の溶剤Ｓをムラなく両面テープ４に塗布することができる。
【００５５】
更に、円筒３０が網状に形成してあることで、溶剤Ｓの透過性がよく、溶剤Ｓが円筒３０で所謂シャワー状になってグリップ装着部分３の両面テープ４にふりかかり、両面テープ４の表面に均等に塗布することができる。
【００５６】
円筒３０は、太さ約２ｍｍ程度の樹脂を網状にして構成してあるので、適度な強度と表面の滑らかさを有し、グリップ装着部分３が当接した場合に、グリップ装着部分３を支持し、グリップ装着部分３を中心とした装置全体の回転を維持でき、又、酸・アルカリに強く溶剤Ｓに溶けにくいので好適である。
（実施例２）
次に、他の実施例について図５を参照して説明する。図５は、実施例２のクラブグリップ取付補助具を示す斜視図である。実施例２に係るクラブグリップ取付補助具１００は、容器１０、開口部２０及び円筒３０の形状等が実施例１とは異なり、更に蓋４０を備えている。
【００５７】
容器１０は、円筒状に形成してあり、底面１１から開口部２０までの全体が同幅に形成してある。即ち、実施例１のように、開口部２０に向けて徐々に幅を狭く形成する所謂容器１０のくびれが形成してなく、開口部２０を有する端面が底面１１とほぼ平衡状態に相対するように形成してある。
【００５８】
開口部２０は、蓋４０を嵌合又は挿嵌可能に延出部２１が形成してある。
【００５９】
円筒３０は網状に形成したものではなく、表面に複数の小さな孔を形成した樹脂からなるものである。
【００６０】
蓋４０は、開口部２０の延出部２１に嵌合又は嵌挿可能に形成してあり、溶剤を容器１０内に収納して、ゴミ、埃等の侵入又は溶剤の揮発を防止できるようにしてある。
【００６１】
このように、容器１０は実施例１のように開口部２０付近に所謂くびれを形成したものではなく、容器１０の一端部を底面１１とほぼ相対する面とし、その面からなる一端部ほぼ中央部に開口部２０を設けたことにより、更に溶剤が開口部２０からこぼれることを防止できる。
【００６２】
又、円筒３０に複数の小さな孔が形成してあることで、溶剤を透過することができ、溶剤を均一に両面テープ４の表面に塗布することができる。又、円筒３０により、シャフト２のグリップ装着部分３を確実に支持することができる。
【００６３】
開口部２０に装着可能な蓋４０を備えているので、未使用時は、容器１０の開口部２０に蓋４０をすることで、容器１０内の溶剤の揮発を防止することができ、溶剤を保存することができる。
（実施例３）
他の実施例について図６を参照して説明する。図６は、実施例３のクラブグリップ取付補助具を示す斜視図である。実施例３に係るクラブグリップ取付補助具１００は、容器１０と、開口部２０と、支持構造３５と、蓋４０とを備えている。容器１０及び蓋４０の形状等が実施例２とは異なる。即ち、実施例３の容器１０は、容器１０の長さ方向の中途で嵌合又は挿嵌可能な形状となっており、容器１０の一方が蓋４０となっている。更に、蓋４０が嵌合又は挿嵌する容器１０の端部が開口部２０としてある。
【００６４】
支持構造３５は、容器１０内のほぼ中心部に収納配置され前記シャフト２のグリップ装着部分３を支持可能で、かつ溶剤を透過可能なものであり、ピアノ線を開口部２０から底面１１方向に張り巡らし、更にコイル状に張ったものである。
【００６５】
これにより、開口部２０が広く、溶剤を収納しやすい。更に、開口部２０が広いことで、容器１０内に収納される支持構造３５の取り替え、補修ができ、その作業が容易である。
【００６６】
又、支持構造３５により、円筒３０と同等の効果を発揮するとともに、更にシャフト２のグリップ装着部分３を確実に支持することができ、塗布時のシャフト２の安定性が非常によい。
（実施例４）
他の実施例について図７を参照して説明する。図７は、実施例４のクラブグリップ取付補助具を示す斜視図である。実施例４に係るクラブグリップ取付補助具１００は、実施例２のクラブグリップ取付補助具１００に、更に溶剤含浸部材５０を備えているものである。
【００６７】
溶剤含浸部材５０は、スポンジ状のものからなり、長尺状の筒状に形成してあり、容器１０と、円筒３０との間に収納してある。
【００６８】
このように、容器１０と、円筒３０との間に溶剤含浸部材５０が収納してあることにより、容器１０が回転することで、溶剤含浸部材５０に含浸された溶剤Ｓが、溶剤含浸部材５０から発散して円筒３０を透過し、グリップ装着部分３に巻かれた両面テープ４の表面に付着して塗布される。又、回転が停止すると、グリップ装着部分３の両面テープ４に付着しなかった溶剤Ｓ又は適量を超えた溶剤Ｓは、下方へ移動し、円筒３０を透過し、溶剤含浸部材５０に含浸して収納され、余分な溶剤Ｓを素早く取り除くことができる。
【００６９】
これにより、溶剤Ｓが溶剤含浸部材５０に含浸して容器１０内に収納され、溶剤Ｓの揮発を防止できる。又、円筒３０は小さな孔が複数形成してあり、更に溶剤含浸部材５０が容器１０と円筒３０と間に収納してあるので、グリップ装着部分３の両面テープ４が直接触れても接着することがなく、一方、溶剤含浸部材５０が直接両面テープ４に接触しないので円筒３０で両面テープ４との摩擦を抑え、溶剤含浸部材５０の表面の変質を防止できる。
【００７０】
又、溶剤含浸部材５０が円筒３０を補強してシャフト２の暴れを防止し、確実に支持することができる。溶剤含浸部材５０が底面１１にも収納されている場合には、溶剤含浸部材５０で円筒３０及びシャフト２を支持できるので、支持構造３５を削除することができる。
【００７１】
勿論、容器１０と、円筒３０との間に溶剤含浸部材５０が収納してあることにより、溶剤Ｓを均一に綺麗にまんべんなく塗布することができることはいうまでもない。又、円筒３０は、網状に形成してあってもよい。
（実施例５）
他の実施例について図８を参照して説明する。図８は、実施例５のクラブグリップ補助具を示す斜視図である。実施例５に係るクラブグリップ取付補助具１００は、溶剤含浸部材５０の材料、形状等が実施例４とは異なる。
【００７２】
溶剤含浸部材５０は、樹脂、セラミックス又は軽金属などの溶剤耐腐性の材料から構成されるものであり、ヘチマのような繊維状のもの又は多孔質のものからなり、長尺状の筒状に形成してあり、容器１０と、円筒３０との間に収納してある。
【００７３】
これにより、容器１０、円筒３０、溶剤含浸部材５０などの溶剤Ｓによる腐食が起こりにくく、溶剤Ｓを容器１０内に溶剤含浸部材５０に含浸させた状態で収納できる。又、溶剤含浸部材５０は、繊維質又は多孔質のものからなるので、静止時の溶剤Ｓの含浸性がよいとともに、回転時の溶剤Ｓの発散性がよく、円筒３０から溶剤Ｓをグリップ２へ透過させやすい。尚、溶剤含浸部材５０が自らその形状を維持できるものであれば、この円筒３０は、省略して実施することも可能である。
（実施例６）
他の実施例について図９を参照して説明する。図９は、実施例６のクラブグリップ補助具を示す斜視図である。実施例６に係るクラブグリップ取付補助具１００は、容器１０と、開口部２０と、支持構造３５と、蓋４０と、突起６０とを備えている。
【００７４】
容器１０、開口部２０及び蓋４０は、実施例２と同様の形状に形成してある。
【００７５】
支持構造３５は、樹脂、セラミックス又は軽金属などの溶剤耐腐性の材料から構成されるものであり、円筒１０内部に挿入されたシャフト２を支持する。図９（ａ）に示すように、円筒１０内部に、容器１０の長尺方向に所定間隔を有して２カ所に取り付けてある。支持構造３５は、シャフト２を支持する短尺状の円筒部分（リング状）と、この短尺状の円筒部分を容器１０内のほぼ中心部に位置するように３方向から円筒１０の内壁に保持する保持部分とからなる。短尺状の円筒部分は、開口部２０とほぼ同径に形成してグリップ装着部分３を内部に挿入して支持するようにしてある。支持構造３５の円筒部分を短尺状に細く形成してあるのは、溶剤Ｓのグリップ装着部分３への塗布の妨げとならないようにしたためである。
【００７６】
突起６０は、容器１０内部の溶剤Ｓを撹拌するためのものであり、円筒１０内部に複数個設けてある。円筒１０の長尺方向及び円筒１０の円周方向に所定間隔を存して複数設けてある。各突起６０は、支持構造３５と同様に溶剤耐腐性の材料から構成されるものであり、約１ｃｍ×１ｃｍの大きさに形成してある。突起６０の容器１０の内壁への配置は、図９（ｂ）に示すように、円筒１０の接線と直交し円筒１０の内壁とのなす角がほぼ直角となるように円筒１０内部に設けてある。
【００７７】
これによれば、支持構造３５は、容器１０内部に連続せず部分的に形成してあるので、容器１０内部に収納配置されたシャフト２の暴れを防止し、塗布するグリップ装着部分３をしっかりと支持することができるとともに、溶剤Ｓの塗布を邪魔することがない。しかも、容器１０内部には複数個の突起６０を備えているので、クラブグリップ取付補助具１００全体を回転させることで溶剤Ｓを効率的に撹拌させることができる。特に、突起６０は、容器１０内部に連続せず部分的に所定間隔を有して設けてあるので、クラブグリップ取付補助具１００全体をゆっくり低速で回しても突起６０で溶剤Ｓを撹拌することができるし、又、クラブグリップ取付補助具１００全体を素早く高速で回しても遠心力によって溶剤Ｓが突起６０に留まることなく、突起６０の左右方向から下方へ落ちてふりかかり撹拌できるので、グリップ装着部分の両面テープの表面に綺麗にまんべんなく塗布することができる。
【００７８】
以上、本発明の実施の形態を説明したが、本発明の趣旨を越えない限り何ら上記の例に限定されるものではない。例えば、容器１０、円筒３０、支持構造３５などの材質、寸法、形状、透明度などを適宜選択して実施してもよい。特に、容器１０の高さ、幅は、グリップ装着部分３を収納できる高さ、幅であればよく、何らこの数値に限定するものではない。
【図面の簡単な説明】
【００７９】
【図１】実施例１のクラブグリップ取付補助具を示す斜視図である。
【図２】実施例２のクラブグリップ取付補助具を示す斜視図である。
【図３】上記実施例のクラブグリップ取付補助具をシャフトに差し込む様子を示す平面図である。
【図４】上記実施例のクラブグリップ取付補助具をシャフトに差し込んだ状態を示す平面図である。
【図５】実施例２のクラブグリップ取付補助具を示す斜視図である。
【図６】実施例３のクラブグリップ取付補助具を示す斜視図である。
【図７】実施例４のクラブグリップ取付補助具を示す斜視図である。
【図８】実施例５のクラブグリップ取付補助具を示す斜視図である。
【図９】実施例６のクラブグリップ取付補助具を示す図であり、図９（ａ）は斜視図であり、図９（ｂ）は図９（ａ）のＡ−Ａ断面図である。
【符号の説明】
【００８０】
１    ゴルフクラブ
２    シャフト
３    グリップ装着部分
４    両面テープ
１０    容器
１１    底部
２０    開口部
３０    円筒
３５    支持構造
４０    蓋
５０    溶剤含浸部材
６０    突起
１００  クラブグリップ取付補助具
【図１】
2005124983.tif 000003
【図２】
2005124983.tif 000004
【図３】
2005124983.tif 000005
【図４】
2005124983.tif 000006
【図５】
2005124983.tif 000007
【図６】
2005124983.tif 000008
【図７】
2005124983.tif 000009
【図８】
2005124983.tif 000010
【図９】
2005124983.tif 000011